(57)【要約】【課題】インナーカートンをスリーブから所定位置まで引き出すと振り出し口が開口して、内容物を必要量だけ振り出すことができ、且つ振り出し口の開閉時に、インナーカートンがスリーブに対して自然にロックされ離脱しないようにした振り出し容器を提供する。【解決手段】スリーブの前後側面と上面との境界線である第二、第三の罫線（天面稜線）を挟んで隣り合う辺を切込んで、スリーブの内側に突出するストッパーを設け、インナーカートンの上端部には前記ストッパーに係合する突起を設けて、インナーカートンをスリーブから所定位置まで引き出すと、前記ストッパーに突起が係合してインナーカートンの抜け出しを不能にした。【選択図】図１
0003155395.tif 000002
【実用新案登録請求の範囲】
【請求項１】
略長方形状の糊代片と前側面板と上面板と後側面板と下面板とをそれぞれ折り目線を介して順に連接して筒状に成形されたスリーブと、前側面板と後側面板と左端面板と右端面板とを略長方形状の底面板の４辺にそれぞれ連接し、左端面板と右端面板とにそれぞれ内折込片を設け、上面を開放したトレー状インナーカートンとからなり、
前記スリーブ内にインナーカートンを引き出し可能に差し込んでなる振り出しカートンであって、
前記スリーブの前後側面と上面との境界線である第二、第三の罫線（天面稜線）を挟んで隣り合う辺を切込んで、スリーブの内側に突出するストッパーを設け、インナーカートンの上端部には前記ストッパーに係合する突起を設けて、インナーカートンをスリーブから所定位置まで引き出すと、前記ストッパーに突起が係合してインナーカートンの抜け出しを不能にすることを特徴とする粒状食品の振り出しカートン。
【請求項２】
略長方形状の糊代片と前側面板と上面板と後側面板と下面板とをそれぞれ折り目線を介して順に連接して筒状に成形されたスリーブと、前側面板と後側面板と左端面板と右端面板とを略長方形状の底面板の４辺にそれぞれ連接し、左端面板と右端面板とにそれぞれ内折込片を設け、上面を開放したトレー状インナーカートンとからなり、
前記スリーブ内にインナーカートンを引き出し可能に差し込んでなる振り出しカートンであって、
前記スリーブの前後側面と上面との境界線である第二、第三の罫線（天面稜線）の部分を内側に凹ませて、スリーブの内側に突出するストッパーを形成したことを特徴とする粒状食品の振り出しカートン。
【請求項３】
前記スリーブの前後側面と上面との境界線である第二、第三の罫線（天面稜線）の部分を面取りして凹部を形成し、その凹部の端を切込んで、スリーブの内側に突出したストッパーを形成したことを特徴とする請求項２に記載した粒状食品の振り出しカートン。
【考案の詳細な説明】
【技術分野】
【０００１】
本考案は粒状食品を振り出すことができるカートンに関するものである。
特に、インナーカートンをスリーブから所定位置まで引き出すと振り出し口が開口して内容物を少量振り出すことができ、また使用時にはインナーカートンの飛び出しを防止できる振り出しカートンに関するものである。
【背景技術】
【０００２】
従来から、例えばガム・チョコレート・キャラメル等の菓子や粒状食品を入れて、その食品を取り出した後、再封して繰り返し使用することができる振り出し容器は知られている。
また、スリーブとそのスリーブに差し込んだスライド式インナーカートンとから構成され、スリーブからインナーカートンが抜けないように、インナーカートンの所定位置にロック片を設け、インナーカートンとスリーブの相対位置を変化させると、取出し口が開口すると同時にインナーカートンのロックがかかるようにしたスライド式容器も、たとえば下記特許文献等により知られている。
【先行技術文献】
【特許文献】
【０００３】
【特許文献１】実開平７−２２９１２号公報
【特許文献２】特開２００６−１６１７号公報
【特許文献３】特開２００５−１７０３９１号公報
【考案の概要】
【考案が解決しようとする課題】
【０００４】
しかし、従来のカートンは、スリーブからインナーカートンを引き出したときのスリーブとインナーカートンを所定位置で係止させる機構が曖昧であった。また、スリーブとインナーカートンの組立てが難しく、ディスプレイ効果を有し販促性の高い振り出しカートンは、製造コストが高くつくという問題があった。
【０００５】
本考案は、従来のカートンの問題点を解決したものであり、簡単な構造でディスプレイ効果の高い振り出しカートンを提供するものである。
すなわち、本考案は、スリーブ側に、簡単な構造のストッパーを形成し、インナーカートンにはそのストッパーと掛合う突起を形成することにより、使用時にインナーカートンをスリーブから所定位置まで引き出すと、インナーカートンがスリーブに対して自然にロックされ容易に飛び出さないようにした振り出しカートンを提供することを課題とする。
【０００６】
本考案を具体的に述べると、本考案の請求項１の考案は、略長方形状の糊代片と前側面板と上面板と後側面板と下面板とをそれぞれ折り目線を介して順に連接して筒状に成形されたスリーブと、前側面板と後側面板と左端面板と右端面板とを略長方形状の底面板の４辺にそれぞれ連接し、左端面板と右端面板とにそれぞれ内折込片を設け、上面を開放したトレー状インナーカートンとからなり、
前記スリーブ内にインナーカートンを引き出し可能に差し込んでなる振り出しカートンであって、
前記スリーブの前後側面と上面との境界線である第二、第三の罫線（天面稜線）を挟んで隣り合う辺を切込んで、スリーブの内側に突出するストッパーを設け、インナーカートンの上端部には前記ストッパーに係合する突起を設けて、インナーカートンをスリーブから所定位置まで引き出すと、前記ストッパーに前記突起が係合してインナーカートンの抜け出しを不能にすることを特徴とする。
【０００７】
本考案の請求項２の考案は、前記スリーブの前後側面と上面との境界線である第二、第三の罫線（天面稜線）の部分を内側に凹ませて、スリーブの内側に突出するストッパーを形成したことを特徴とする。
【０００８】
そして、本考案の請求項３の考案は、前記スリーブの前後側面と上面との境界線である第二、第三の罫線（天面稜線）上に面を取って凹部を形成し、その凹部の端を切込んで、スリーブの内側に突出したストッパーを形成したことを特徴とする。
【考案の効果】
【０００９】
本考案の振り出しカートンは、上記のようにスリーブの前後側面と上面との境界線である第二、第三の罫線（天面稜線）を挟んで隣り合う辺を切込んで、スリーブの内側に突出したストッパーを形成したので、インナーカートンを所定位置まで引き出すとスリーブの内側に突出するストッパーに対しインナーカートンの係止突起が自然にロックされ容易に飛び出さない。そしてスリーブからインナーカートンの飛び出しを防ぐストッパーは簡単な切込みにより形成できる。また、スリーブの前後側面と上面との境界線である第二、第三の罫線（天面稜線）上を面取りしたディスプレイ効果のある販促性の高い振り出しカートンの製造が可能である。
【図面の簡単な説明】
【００１０】
【図１】図１はインナーカートンをスライドさせ、内容物を取り出す開封時の斜視図である。
【図２】図２は図１の容器の閉塞時の斜視図である。
【図３】図３はインナーカートンの組立て状態の斜視図である。
【図４】図４はストッパーの断面略図である
【図５】インナーカートンの展開図である。
【図６】スリーブの展開図である。
【考案を実施するための形態】
【００１１】
（実施例）
本考案の振り出し容器はインナーカートンＡとスリーブＢを組み合わせることにより、粒状食品を必要量だけ振り出すことができ、且つ振り出し口の開閉時に、インナーカートンがスリーブに対して自然にロックされ、離脱しないようなっている。
【００１２】
先ずインナーカートンＡのブランクの構成を図５により説明する。
符号１は矩形の底面板、２ａと２ｂはその底面板の両側に対向するように連接した前側面板と後側面板である。３ａ、３ｂは、底面板1の両端部に対向するように折り目線を介し連設した左端面板と右端面板である。また４ａと４ｂは各端面板に連接した内折込片であり、５ａと５ｂは両側面板２ａと２ｂの両端部に連設した折込片である。
【００１３】
符号６ａ、６ｂは前記前側面板と後側面板の上端部に形成した凹部であり、その凹部の対向する両端に係止突起７ａ，７ｂと８ａ，８ｂが形成されている。また、符号9は前記前側面板と後側面板の一端に形成する振り出し口である。
【００１４】
次にスリーブＢの構成を図６により説明する。
スリーブＢは、略長方形状の糊代片１０と前側面板１１と上面板１２と後側面板１３と下面板１４とをそれぞれ折り目線を介して順に連接して筒状に成形して使用する。
符号１５ａ、１５ｂと符号１７ａ、１７ｂで示すものは前記スリーブの前後側面と上面との境界線である第二、第三の罫線（天面稜線）イとロの上に、それぞれの罫線を挟んで隣り合う辺を略クサビ形もしくは略コ字状に切込んで内側に突出するように形成したストッパーである。このストッパーはスリーブの内側に突出するので、インナーカートンを所定位置まで引き出すとスリーブの内側に突出するストッパーに対しインナーカートンの係止突起が自然にロックされ容易に飛び出さない。
【００１５】
実施例の場合は、前記スリーブの前後側面と上面との境界線である第二、第三の罫線（天面稜線）イとロの罫線の一部を左右にずらして、製函時に凹部となる面（面取り部）１６ａ、１６ｂを形成している。そしてスリーブの前後側面と上面との境界線である第二、第三の罫線を挟んで隣り合う辺を略クサビ形もしくは略コ字状に切込んで、面取り部１６ａ、１６ｂの一端にスリーブの内側に突出するストッパー１５ａ、１５ｂを形成している。また、面取り部１６ａ、１６ｂの反対端にも同様な切込み設けてストッパー１７ａ、１７ｂを形成している。因みに、切込個所はその凹部（面取り部）１６ａ、１６ｂの少なくとも一端でよく、図のように両端である必要はない。
なお、符号１８はインナーカートンを引き出す時に使用する摘み片兼押込み防止片であり、右端面板３ｂと内折込片4ｂとの間に形成されている。
【００１６】
以下本実施例の組立て法と使用方法を簡単に説明する。
【００１７】
定法通り、先ずインナーカートンＡの底面板１の四周に前後側面板２ａと２ｂと左右端面板３ａと３ｂを折って直角に立ち上げ、折込片と内折込片とを折って上面が開放されたトレイ状の箱を形成する。
次に、インナーカートンＡの外側にスリーブＢのブランクを図１及び図２のように巻きつけ、開封時に、インナーカートンの上端側の係止突起７ａ，７ｂがスリーブの内側に突出するストッパー１５ａ、１５ｂに引っ掛かるようにするのである。
上記のように構成されたインナーカートンＡは、その中に粒状の菓子食品を入れ、図１及び図２のように再封して繰り返し使用することができる。
【００１８】
また、摘み片１８に指をかけて、インナーカートンＡをスリーブＢから所定位置まで引き出すと振り出し口９が開口して、内容物を振り出すことができる。
そして摘み片１８側からインナーカートンＡをスリーブＢ内に押し込んだときは、スリーブの内側に突出するストッパー１７ａ、１７ｂに対しインナーカートンの係止突起８ａ，８ｂが自然にロックされる。このように開閉時に、インナーカートンはスリーブに対して所定位置でロックされるので、容易に離脱しないものとなる。
【符号の説明】
【００１９】
Ａ  インナーカートン
Ｂ  スリーブ
１  底面板
２ａ  前側面板
２ｂ  後側面板
３ａ  左端面板
３ｂ  右端面板
４ａ、4ｂ  内折込片
５ａ，５ｂ  折込片
６ａ、６ｂ  凹部
７ａ、7ｂ，８ａ、８ｂ  係止突起
９  振り出し口
１０  糊代片
１１  前側面板
１２  上面板
１３  後側面板
１４  下面板
１５ａ、１５ｂ  ストッパー
１６ａ、１６ｂ  面取り部
１８  摘み片兼押込み防止片
【図１】
0003155395.tif 000003
【図２】
0003155395.tif 000004
【図３】
0003155395.tif 000005
【図４】
0003155395.tif 000006
【図５】
0003155395.tif 000007
【図６】
0003155395.tif 000008